(57)【要約】【課題】氷河の地盤を冷却することにより氷河の融解を防止あるいは抑制する装置を提供すること。【解決手段】ヒートパイプ２の一方の端部を地盤４に埋設し、他方の端部を大気中に露出することにより、地盤４の熱を大気中に放熱して冷却するヒートパイプ２を用いた氷河３の融解防止装置１において、ヒートパイプ２の一方の端部を被う被覆部材５を備え、被覆部材５の水平断面には、氷河３の流れる方向を変更させる傾斜面５ｂ、あるいは円弧状の傾斜面５ａが形成されている。したがって、氷河３が被覆部材５の周囲を流れる場合に、傾斜面５ａによって氷河３の流れを分散させることができ、氷河３の流れによって被覆部材５に生じる圧力を分散させることができる。そのため、ヒートパイプ２の倒壊が防止もしくは抑制され、氷河３が流れる地盤４を安定して冷却することができる。【選択図】図１
2010249384.tif 000002
【特許請求の範囲】
【請求項１】
ヒートパイプの一方の端部を氷河の流れる地盤に埋設し、他方の端部を大気中に露出することにより、地盤の熱を大気中に放熱して冷却するヒートパイプを用いた氷河の融解防止装置において、
前記ヒートパイプの一方の端部を被う被覆部材を備え、
該被覆部材の水平断面には、前記氷河の流れる方向を変更させる傾斜面、あるいは円弧状の傾斜面が形成されていることを特徴とするヒートパイプを用いた氷河の融解防止装置。
【請求項２】
前記被覆部材は、金属あるいはコンクリートのいずれか一方によって形成されていることを特徴とする請求項１に記載のヒートパイプを用いた氷河の融解防止装置。
【発明の詳細な説明】
【技術分野】
【０００１】
この発明は、ヒートパイプを用いて氷河の融解を防止するように構成された装置に関するものである。
【背景技術】
【０００２】
氷河から溶け出して河川に流れ込む水は、その河川の流域に住む住民にとって貴重な水源である。そのため、地球温暖化によって氷河が溶け出してその規模が縮小することは、水源を確保することができなくなるため好ましくない。しかしながら、近年の地球規模の温暖化の影響により、氷河の縮小が激しく、またこれに付随して、海面上昇の問題も生じている。そのため、氷河の融解を防止することが重要になる。これに関連する技術として、例えば特許文献１に記載されている発明では、スキー場のゲレンデにヒートパイプの蒸発部を埋設し、凝縮部を大気中に露出させることにより、地中の熱を大気中に放熱してゲレンデを冷却して降雪を融解させずに積雪化できるように構成している。
【先行技術文献】
【特許文献】
【０００３】
【特許文献１】特開平３−２８４０５号公報
【発明の概要】
【発明が解決しようとする課題】
【０００４】
上述した特許文献１に記載された発明によれば、ヒートパイプによってゲレンデの地表面の熱を外部に放熱してゲレンデを冷却し、これにより降雪を積雪化することが可能である。しかしながら、特許文献１に記載された発明を上述した氷河の融解防止に適用すると、氷河は非常にゆっくりとした速度ではあるが流れているから、その氷河の流れによってヒートパイプが倒壊する虞がある。そのため、氷河の流れによってヒートパイプが倒壊することを防止もしくは抑制する必要があり、この点で未だ解決するべき技術的課題があるのが実情である。
【０００５】
この発明は上記の技術的課題に着目してなされたものであり、ヒートパイプを倒壊させることなく安定して氷河を冷却し、氷河の融解を防止あるいは抑制することができるように構成されたヒートパイプを用いた氷河融解防止装置を提供することを目的とするものである。
【課題を解決するための手段】
【０００６】
上記の目的を達成するために、請求項１の発明は、ヒートパイプの一方の端部を氷河の流れる地盤に埋設し、他方の端部を大気中に露出することにより、地盤の熱を大気中に放熱して冷却するヒートパイプを用いた氷河の融解防止装置において、前記ヒートパイプの一方の端部を被う被覆部材を備え、該被覆部材の水平断面には、前記氷河の流れる方向を変更させる傾斜面、あるいは円弧状の傾斜面が形成されていることを特徴とするものである。
【０００７】
請求項２の発明は、請求項１の発明において、前記被覆部材は、金属あるいはコンクリートのいずれか一方によって形成されていることを特徴とするヒートパイプを用いた氷河の融解防止装置である。
【発明の効果】
【０００８】
請求項１の発明によれば、ヒートパイプの一方の端部が被覆部材によって被われて、地盤に埋設して設置されるから、ヒートパイプを地盤に埋設して設置させる場合の強度を向上させることができ、また、設置の安定性を向上させることができる。また、被覆部材の水平断面には、傾斜面あるいは円弧状の傾斜面が形成されているので、その傾斜面あるいは円弧状のケーシング斜面によって氷河の流れを分散させることができる。したがって、氷河の流れによってヒートパイプが倒壊させられることを防止もしくは抑制することができ、また、それにより安定して氷河が流れる地盤を冷却することができる。さらにまた、氷河が流れる地盤を安定して冷却することができることにより氷河の融解を防止もしくは抑制することができる。その結果、氷河の融解を防止もしくは抑制することができるので、水源を確保することができ、また海面上昇の阻止に貢献することができる。
【０００９】
請求項２の発明によれば、請求項１の発明による効果と同様の効果に加えて、被覆部材は金属あるいはコンクリートのいずれか一方により形成されているので、ヒートパイプの補強と熱伝導性とを両立させることができる。
【図面の簡単な説明】
【００１０】
【図１】この発明に係るヒートパイプを用いた氷河の融解防止装置の設置例を模式的に示す図である。
【図２】この発明に係るヒートパイプを用いた氷河の融解防止装置を模式的に示す上視図である。
【図３】この発明における被覆部材５の他の形状の水平断面を模式的に示す図である。
【発明を実施するための形態】
【００１１】
以下、この発明の実施の形態を図を参照しながら説明する。図１は、この発明に係るヒートパイプを用いた氷河の融解防止装置の設置例を模式的に示す図である。この発明に係る装置１は、ヒートパイプ２によって氷河３の流れる地盤４の熱を大気中に放熱するように構成されており、そのヒートパイプ２は、例えば、いわゆるトップヒートモードでは作動しないサーモサイホン式ヒートパイプ（以下、単にヒートパイプと記す）２であって、その内部には低温でも作動するように、例えば１・１・１・２−テトラフルオロエタンが作動流体として封入されている。なお、ヒートパイプ２の内部に封入する作動流体は、低温で作動するものであれば、他の作動流体を用いてもよい。
【００１２】
ヒートパイプ２の一方の端部は、楕円形状あるいは円形状などのいわゆる流線型状の被覆部材５によって被われて地盤４に埋設されて設置されており、他方の端部には、ヒートパイプ２によって熱輸送された地盤４の熱を大気中に放熱する複数の放熱フィン６が設けられている。なお、このヒートパイプ２は、毛細管力によって作動流体を流動させるウィックが封入されたウィック式ヒートパイプであってもよい。
【００１３】
すなわち、ヒートパイプ２の一方の端部は、地盤４に埋設されて地盤４の熱を受熱してヒートパイプ２の内部に封入された作動流体を蒸気化させる蒸気化部７を形成し、また、ヒートパイプ２の他方の端部は、大気中の露出させられて、作動流体の蒸気化潜熱によって熱輸送された地盤４の熱を凝縮潜熱によって大気中に放熱する放熱部８を形成するように構成されている。
【００１４】
被覆部材５は、金属あるいはコンクリートによってに形成されており、ヒートパイプ２の一方の端部を補強するとともに、地盤４の熱を受熱できるように構成されている。また、ヒートパイプ２と被覆部材５との間には、コンクリートを充填してもよいし、また空洞でもよい。要は、ヒートパイプ２が氷河３の流れによって倒壊させられることを被覆部材５によって防止もしくは抑制して、安定して地盤４の熱を大気中に放熱できるよう構成されていればよい。
【００１５】
また、その水平断面は、楕円形状あるいは円形状などのいわゆる流線形状に形成されており氷河３の流れを変更させる円弧状の傾斜面５ａが形成されている。図２は、この発明に係る装置１を模式的に示す上視図であって、氷河３の流れを上述した被覆部材５の円弧状の傾斜面５ａによって変更できるように構成されている。言い換えれば、被覆部材５に形成された円弧状の傾斜面５ａは、氷河３が被覆部材５の周囲を流れる場合に、被覆部材５に生じる圧力を分散させるように構成されている。
【００１６】
上述したこの発明に係る装置１は、氷河３が被覆部材５の周囲を流れる場合に、傾斜面５ａによって氷河３の流れを分散させることができる。そのため、氷河３の流れによって被覆部材５に生じる圧力を分散させることができる。したがって、氷河３の流れによるヒートパイプ２の倒壊が防止もしくは抑制されるから、この発明に係る装置１によって氷河３が流れる地盤４を安定して冷却することができる。また、それによって氷河３が融解することを防止もしくは抑制することができる。したがってこの発明に係る装置１によれば、水源としての氷河３を確保することができ、氷河３の融解による海面上昇の阻止に貢献することができる。
【００１７】
さらにまた、被覆部材５は、金属あるいはコンクリートによって形成されているから、ヒートパイプ２をそのまま氷河３の流れる地盤４に設置する場合と比較して、この発明に係る装置１の強度、すなわち設置の安定性を向上させることができる。また、氷河３の流れにともなう圧力あるいはこの発明に係る装置１の周囲に付着した着氷９によってヒートパイプ２が損傷を受けることを防止もしくは抑制することができる。さらにまた、金属およびコンクリートは、熱伝導性を有しているので、ヒートパイプ２を金属あるいはコンクリートによって被った場合であっても、熱伝導性を確保することができる。したがって、被覆部材５に金属あるいはコンクリートを用いることによって装置１の強度と熱伝導性とを両立させることができ、安定して地盤４を冷却することができる。
【００１８】
つぎにこの発明の他の例を説明する。図３は、この発明における被覆部材５の他の形状の水平断面を模式的に示す図であって、図３（ａ）には、水平断面が菱形形状に形成された被覆部材５を模式的に示しており、図３（ｂ）には、水平断面が三角形状に形成された被覆部材５を模式的に示しており、それぞれ氷河３の流れを変更させる傾斜面５ｂが形成されている。また、上述したようにヒートパイプ２と被覆部材５との間には、コンクリートを充填してもよいし、また空洞でもよい。要は、ヒートパイプ２が氷河３の流れによって倒壊させられることを被覆部材５によって防止もしくは抑制して、安定して地盤４の熱を大気中に放熱できるよう構成されていればよい。なお、他の構成については、前述した図１および図２に示す構成と同様であるから、図１および図２に付した符号と同様の符号を付してその説明を省略する。
【００１９】
図３に示す構成によれば、氷河３が被覆部材５の周囲を流れる場合に、傾斜面５ｂによって氷河３の流れを分散させることができる。そのため、氷河３の流れによって被覆部材５に生じる圧力を分散させることができる。したがって、氷河３の流れによるヒートパイプ２の倒壊が防止もしくは抑制されるから、この発明に係る装置１によって氷河３が流れる地盤４を安定して冷却することができる。また、それによって氷河３が融解することを防止もしくは抑制することができる。したがってこの発明に係る装置１によれば、水源としての氷河３を確保することができ、氷河３の融解による海面上昇の阻止に貢献することができる。
【符号の説明】
【００２０】
１…氷河の融解防止装置、  ２…ヒートパイプ、  ３…氷河、  ４…地盤、  ５…被覆部材。
【図１】
2010249384.tif 000003
【図２】
2010249384.tif 000004
【図３】
2010249384.tif 000005